(57)【要約】【課題】ファン上方の空間の流れを整流化するための部品の設置に係り、ファン風量の効率向上、省エネルギー性の向上した冷蔵庫を得ることを目的とする。【解決手段】ファンカバーの開口に設けられ送風を制御するダンパと、庫内ファンの前方に位置する冷凍温度帯室又は冷蔵温度帯室に冷気を吹き出す吹き出し口と、ファンカバーの前方を覆うように設けられて開口から吹き出し口に冷気を送風するダクトと、を備えた冷蔵庫において、庫内ファンを支持するファンホールドを備え、このファンホールド上部には庫内ファン前面に向かって凸状空間が形成され、この凸状空間の上面には長方形状孔が形成されて、凸状空間側から長方形状孔に挿入される断面Ｌ字型の部材を有し、この断面Ｌ字型の部材は、座部と突起部とを有し、座部が凸状空間前縁に嵌め込まれて固定されて、突起部はファンホールド前面を上方に延長した位置であって、凸状空間に突き出すように配置する。【選択図】  図１１
2013002663.tif 000002
【特許請求の範囲】
【請求項１】
冷蔵庫本体に区画形成された冷凍温度帯室及び冷蔵温度帯室と、
前記冷凍温度帯室及び前記冷蔵温度帯室を冷却する冷気が熱交換される冷却器と、
前記冷却器が設けられる冷却器収納室と、
前記冷却器で熱交換された冷気を前記冷凍温度帯室及び前記冷蔵温度帯室に送風する庫内ファンと、
該庫内ファンの前方を覆うように設けられ前記冷凍温度帯室又は前記冷蔵温度帯室と連通する開口を有するファンカバーと、
該ファンカバーの開口に設けられ送風を制御するダンパと、
前記庫内ファンの前方に位置する前記冷凍温度帯室又は前記冷蔵温度帯室に冷気を吹き出す吹き出し口と、
前記ファンカバーの前方を覆うように設けられて前記開口から前記吹き出し口に冷気を送風するダクトと、を備えた冷蔵庫において、
前記庫内ファンを支持するファンホールドを備え、
該ファンホールド上部には前記庫内ファン前面に向かって凸状の空間が形成され、
該空間の上面には長方形状孔が形成されて、前記空間側から該長方形状孔に挿入される断面Ｌ字型の部材を有し、
該断面Ｌ字型の部材は、座部と突起部とを有し、前記座部が前記空間前縁に嵌め込まれて固定されて、
前記突起部は前記ファンホールド前面を上方に延長した位置であって、前記空間に突き出すように配置されたことを特徴とする冷蔵庫。
【請求項２】
請求項１において、前記断面Ｌ字型の部材は、前記長方形状孔の幅を２Ｌとした場合、前記庫内ファンの中心軸より正面から見て右側の幅をＬ、正面から見て左側の幅をＬ／２以上に設定したことを特徴とする冷蔵庫。
【発明の詳細な説明】
【技術分野】
【０００１】
本発明は、冷蔵庫に関する。
【背景技術】
【０００２】
冷却器によって冷蔵温度帯室と冷凍温度帯室を冷却する蒸気圧縮式冷蔵庫であって、送風を制御すべくダンパを備えた冷蔵庫としては、例えば、特許文献１に記載のものがある。
【０００３】
特許文献１に記載の冷蔵庫は、冷蔵庫本体に区画形成された冷凍温度帯室及び冷蔵温度帯室と、前記冷凍温度帯室及び前記冷蔵温度帯室を冷却する冷気が熱交換される冷却器と、前記冷却器が設けられる冷却器収納室と、前記冷却器で熱交換された冷気を前記冷凍温度帯室及び前記冷蔵温度帯室に送風する庫内ファンと、該庫内ファンの前方を覆うように設けられ前記冷凍温度帯室又は前記冷蔵温度帯室と連通する開口を有するファンカバーと、該ファンカバーの開口に設けられ送風を制御するダンパと、前記庫内ファンの前方に位置する前記冷凍温度帯室又は前記冷蔵温度帯室に冷気を吹き出す吹き出し口と、前記ファンカバーの前方を覆うように設けられて前記開口から前記吹き出し口に冷気を送風するダクトと、を備えることで内容積効率や省エネルギー性が向上するとされている。
【先行技術文献】
【特許文献】
【０００４】
【特許文献１】特開２０１１−５８６８７号公報
【発明の概要】
【発明が解決しようとする課題】
【０００５】
しかしながら、特許文献１に記載の冷蔵庫は、ファンカバーの開口に設けられ送風を制御するダンパの開閉空間を考慮した流路を確保するため、ファン上方の空間を広く設け、ダンパの開閉のために、ファンからの通風抵抗が大きくなることを防ぐ構造としているが、風の流れにおいては、更に、渦が大きく発生し、冷蔵室，冷凍室に送風する冷気の流れに対しての抵抗となり、風量の低下，風量分配の悪化，省エネルギー性の悪化といった、さまざまな問題が生じていた。
【０００６】
本発明は以上のような問題点に鑑みてなされたものであり、ファン上方の空間の流れを整流化するための部品の設置に係り、ファン風量の効率向上，省エネルギー性の向上した冷蔵庫を得ることを目的とする。
【課題を解決するための手段】
【０００７】
上記課題を解決するために、例えば特許請求の範囲に記載の構成を採用する。本願は上記課題を解決する手段を複数含んでいるが、その一例を挙げるならば、冷蔵庫本体に区画形成された冷凍温度帯室及び冷蔵温度帯室と、前記冷凍温度帯室及び前記冷蔵温度帯室を冷却する冷気が熱交換される冷却器と、前記冷却器が設けられる冷却器収納室と、前記冷却器で熱交換された冷気を前記冷凍温度帯室及び前記冷蔵温度帯室に送風する庫内ファンと、該庫内ファンの前方を覆うように設けられ前記冷凍温度帯室又は前記冷蔵温度帯室と連通する開口を有するファンカバーと、該ファンカバーの開口に設けられ送風を制御するダンパと、前記庫内ファンの前方に位置する前記冷凍温度帯室又は前記冷蔵温度帯室に冷気を吹き出す吹き出し口と、前記ファンカバーの前方を覆うように設けられて前記開口から前記吹き出し口に冷気を送風するダクトと、を備えた冷蔵庫において、
前記庫内ファンを支持するファンホールドを備え、該ファンホールド上部には前記庫内ファン前面に向かって凸状の空間が形成され、該空間の上面には長方形状孔が形成されて、前記空間側から該長方形状孔に挿入される断面Ｌ字型の部材を有し、該断面Ｌ字型の部材は、座部と突起部とを有し、前記座部が前記空間前縁に嵌め込まれて固定されて、前記突起部は前記ファンホールド前面を上方に延長した位置であって、前記空間に突き出すように配置する。
【発明の効果】
【０００８】
本発明によれば、食品収納室への送風を制御するダンパを備える冷蔵庫に係り、風量損失の低減にともなう、性能向上、あるいは、省エネルギー性の向上した冷蔵庫を得ることができる。
【図面の簡単な説明】
【０００９】
【図１】冷蔵庫の正面外形図。
【図２】冷蔵庫の庫内の構成を表す図１のＸ−Ｘ断面図。
【図３】冷蔵庫の庫内の構成を表す正面図。
【図４】図２の要部拡大説明図。
【図５】図３の要部拡大説明図。
【図６】冷蔵庫の庫内ファン周辺構造を表す正面図。
【図７】冷蔵庫の庫内ファン周辺構造を表す縦断面図。
【図８】冷蔵庫の冷凍室ダンパを表す斜視図。
【図９】庫内ファン周辺構造を背面側から見た分解斜視図。
【図１０】従来の冷蔵庫の庫内ファン周辺構造を表す縦断面図。
【図１１】本発明の実施形態に係る冷蔵庫の庫内ファン周辺構造を表す縦断面図。
【図１２】本発明の実施形態に係る冷蔵庫の庫内ファン周辺構造を表す正面斜視図。
【図１３】本発明の実施形態に係る冷蔵庫の庫内ファン周辺構造を表す正面斜視図。
【図１４】本発明の実施形態に係る冷蔵庫の庫内ファン周辺構造を表す正面斜視図。
【発明を実施するための形態】
【００１０】
本発明に係る冷蔵庫の実施形態を、図１から図１０を参照しながら説明する。
【００１１】
図１は、冷蔵庫１の正面外形図であり、図２は、冷蔵庫１の庫内の構成を表す図１におけるＸ−Ｘ縦断面図であり、図３は、冷蔵庫１の庫内の構成を表す正面図であり、冷気ダクトや吹き出し口の配置などを示す図であり、図４は図２の要部拡大説明図である。図５は図３の要部拡大説明図である。
【００１２】
図１に示すように、冷蔵庫１は、食品収納室として、上方から、冷蔵室２，製氷室３，上段冷凍室４，下段冷凍室５，野菜室６を備えている。なお、以下本明細書中では、製氷室３と上段冷凍室４と下段冷凍室５の総称として冷凍温度帯室６０、冷蔵室２と野菜室６の総称として冷蔵温度帯室６１と呼ぶことがある。
【００１３】
冷蔵室２は前方側に、左右に分割された観音開きの冷蔵室扉２ａ，２ｂを備え、製氷室３，上段冷凍室４，下段冷凍室５，野菜室６は、それぞれ引き出し式の製氷室扉３ａ，上段冷凍室扉４ａ，下段冷凍室扉５ａ，野菜室扉６ａを備えている。以下では、冷蔵室扉２ａ，２ｂ，製氷室扉３ａ，上段冷凍室扉４ａ，下段冷凍室扉５ａ，野菜室扉６ａを単に扉２ａ，２ｂ，３ａ，４ａ，５ａ，６ａと称する。
【００１４】
また、冷蔵庫１は、扉２ａ，２ｂ，３ａ，４ａ，５ａ，６ａの各扉の開閉状態をそれぞれ検知する図示しない扉センサと、扉開放状態と判定された状態が所定時間、例えば、１分間以上継続された場合に、使用者に報知する図示しないアラーム、冷蔵室２や野菜室６の温度設定や冷凍温度帯室６０の温度設定をする図示しない温度設定器等を備えている。
【００１５】
図２に示すように、冷蔵庫１の庫外と庫内は、発泡断熱材（発泡ポリウレタン）を充填することにより形成される断熱箱体１０により隔てられている。冷蔵庫１の断熱箱体１０は真空断熱材２５を実装している。
【００１６】
庫内は、断熱仕切壁２８により冷蔵室２と、上段冷凍室４及び製氷室３（図１参照、図２中で製氷室３は図示されていない）とが隔てられ、断熱仕切壁２９により、下段冷凍室５と野菜室６とが隔てられている。
【００１７】
扉２ａ，２ｂ（図１参照）の庫内側には複数の扉ポケット３２が備えられている。また、冷蔵室２は複数の棚３６により縦方向に複数の貯蔵スペースに区画されている。
【００１８】
図２に示すように、上段冷凍室４，下段冷凍室５及び野菜室６は、それぞれの室の前方に備えられた扉４ａ，５ａ，６ａと一体に引き出される、収納容器４ｂ，５ｂ，６ｂがそれぞれ設けられており、扉４ａ，５ａ，６ａの図示しない取手部に手を掛けて手前側に引き出すことにより収納容器４ｂ，５ｂ，６ｂが引き出せるようになっている。図１に示す
製氷室３にも同様に、扉３ａと一体に、図示しない収納容器（図２中（３ｂ）で表示）が設けられ、扉３ａの図示しない取手部に手を掛けて手前側に引き出すことにより収納容器３ｂが引き出せるようになっている。なお上段冷凍室４は、急速冷凍室として使用できる。急速冷凍性能の向上のために、上段冷凍室４の収納容器４ｂには図示しないアルミトレーが備えられており、冷凍速度が向上するようになっている。
【００１９】
図２に示すように（適宜図３〜図５参照）、冷却器７は下段冷凍室５の略背部に備えられた冷却器収納室８内に設けられており、冷却器７の上方に設けられた庫内ファン９により冷却器７と熱交換して冷やされた空気（冷気、以下、冷却器７で冷やされてできた低温空気を冷気と称する）が冷蔵室ダクト１１，冷凍室ダクト１２を介して、冷蔵室２，上段冷凍室４，下段冷凍室５，製氷室３の各室へ送られる。各室への送風は冷蔵室ダンパ２０と冷凍室ダンパ５０の開閉により制御される。
【００２０】
ちなみに、冷蔵室ダクト１１，冷凍室ダクト１２は、図３に破線で示すように冷蔵庫１の各室の背面側に設けられている。
【００２１】
具体的には、冷蔵室ダンパ２０が開状態、冷凍室ダンパ５０が閉状態のときには、冷気は、冷蔵室ダクト１１を経て多段に設けられた吹き出し口２ｃから冷蔵室２に送られる。冷気は、冷蔵室２の冷却を終えた後に、冷蔵室２の背面右側下部に備えられた冷蔵室戻り口２ｄから流入し、冷蔵室−野菜室連通ダクト１６を介して、野菜室６背面右側上部に設けられた野菜室吹き出し口６ｃから野菜室６に流入して野菜室６を冷却する。野菜室６を冷却した冷気は、断熱仕切壁２９の下部前方に設けられた、野菜室戻り口６ｄから、野菜室戻りダクト１８を介して、冷却器７の幅とほぼ等しい幅の野菜室戻り吹き出し口１８ａから流入する（図３または図５参照）。
【００２２】
図３では冷凍室ダンパ５０が省略されているが、冷凍室ダンパ５０が開状態のとき、冷却器７で熱交換された冷気が庫内ファン９により送風され、冷凍室ダクト１２を経て吹き出し口３ｃ，４ｃ，５ｃからそれぞれ製氷室３，上段冷凍室４，下段冷凍室５へ送風される。なお、図３に示すとおり、本実施形態の冷蔵庫１では、冷凍温度帯室６０の吹き出し口３ｃ〜５ｃは、計７個備えられており、吹き出し口３ｃ〜５ｃの周長の合計は１２００mmである。
【００２３】
図４に示すように冷蔵庫１では、冷却器７の上方に庫内ファン９を設け、庫内ファン９の上方に冷凍室ダンパ５０を設けている。さらに、冷凍室ダンパ５０の上方に冷凍温度帯室６０の上段に位置する上段冷凍室４に冷気を送り出す上段冷凍室吹き出し口４ｃと製氷室吹き出し口３ｃ（図３参照）が備えられている。なお、上段冷凍室吹き出し口４ｃは、冷凍室の吹き出し口の中で最も開口面積が大きくなっている。
【００２４】
また、冷蔵室ダンパ２０が開状態で、庫内ファン９が稼動した場合、冷気は、冷却器収納室８⇒冷気集約ダクト１３（詳細は後述）⇒冷蔵室送風ダクト１１⇒冷蔵室２⇒冷蔵室−野菜室連通ダクト１６⇒野菜室６⇒野菜室戻りダクト１８⇒冷却器収納室８の順に流れる。この冷気循環経路を形成する壁面のうち、冷凍室６０と冷気循環経路を隔てている壁面、すなわち、冷却器収納室８の前面，冷蔵室２の底面，冷蔵室−野菜室連通ダクト１６の前面，野菜室戻りダクト１８の上面の少なくともいずれかに真空断熱材２５を配設している（冷蔵室−野菜室連通ダクト１６の前面の真空断熱材２５は図示せず）。換言すると、冷却器収納室８から冷蔵温度帯室６１に送風された後の戻り冷気が流れるダクトが冷却器７の側方且つ冷凍温度帯室６０の後方に設けられており、少なくともこのダクトと冷凍温度帯室６０との間に真空断熱材２５が備えられている。なお、真空断熱材２５は、ガスバリア性を有するフィルム内に、芯材とするグラスウールや樹脂繊維等を封入し、真空引き後、端部を熱溶着することにより形成されたものであり、熱伝導率が１０ｍＷ／ｍＫ以下の高い断熱性能を有する。
【００２５】
図５に示すように、冷蔵室２を冷却した冷気は、冷却器収納室８の側方に備えられた冷蔵室−野菜室連通ダクト１６を通って、野菜室６に流入する。野菜室６からの戻り冷気は、野菜室戻り口６ｄ（図２参照）から流入し、図４に示すように、断熱仕切壁２９の中に設けられた野菜室戻りダクト１８を通って、冷却器収納室８の下部前方に設けられた、冷却器７の幅とほぼ等しい幅寸法の野菜室戻り吹き出し口１８ａ（図５参照）から、冷却器収納室８に流入する。一方、冷凍温度帯室６０を冷却した冷気は、図４に示すように、冷却器収納室８と冷凍温度帯室６０を仕切る仕切板５４の下部に備えられた、冷却器７の幅とほぼ等しい幅寸法の冷凍室戻り口１７を介して冷却器収納室８に流入する。なお、冷却器収納室８の下方には、除霜ヒータ２２が備えられている。除霜ヒータ２２は、ガラス管ヒータであり、ガラス管の外周にはアルミニウム製の放熱フィン２２ａが備えられている。
【００２６】
除霜ヒータ２２の上方には、除霜水が除霜ヒータ２２に滴下することを防止するために、上部カバー５３が設けられている。また、図５に示すとおり、冷却器収納室８の下部前方には、冷却器７の除霜中の上昇気流が流入する空間である、暖気収納スペース２６が設けられている。この暖気収納スペース２６によって、除霜ヒータ２２に通電することによって実施される除霜運転中に生じる暖気（上昇気流）が、冷凍温度帯室６０に流入することを抑えることができる。
【００２７】
冷却器７及びその周辺の冷却器収納室８の壁に付着した霜は、除霜運転時に解かされ、その際に生じた除霜水は冷却器収納室８の下部に備えられた樋２３に流入した後に、排水管２７を介して後記する機械室１９に配された蒸発皿２１に達し、圧縮機２４及び、機械室１９内に配設される図示しない凝縮器及び圧縮機２４の発熱により蒸発させられる。
【００２８】
また、冷却器７の正面から見て左上部には冷却器７に取り付けられた冷却器温度センサ３５、冷蔵室２には冷蔵室温度センサ３３、下段冷凍室５には冷凍室温度センサ３４がそれぞれ備えられており、それぞれ冷却器７の温度（以下、冷却器温度と称する）、冷蔵室２の温度（以下、冷蔵室温度と称する）、下段冷凍室５の温度（以下、冷凍室温度と称する）を検知できるようになっている。更に、冷蔵庫１は、庫外の温度を検知する図示しない外気温度センサを備えている。なお、野菜室６にも野菜室温度センサ３３ａが配置してある。
【００２９】
冷蔵庫１の天井壁上面側にはＣＰＵ，ＲＯＭやＲＡＭ等のメモリ，インターフェース回路等を搭載した制御基板３１が配置されており（図２参照）、制御基板３１は、前記した外気温度センサ，冷却器温度センサ３５，冷蔵室温度センサ３３，野菜室温度センサ３３ａ，冷凍室温度センサ３４，扉２ａ，２ｂ，３ａ，４ａ，５ａ，６ａの各扉の開閉状態をそれぞれ検知する前記した扉センサ、冷蔵室２内壁に設けられた図示しない温度設定器等と接続し、前記ＲＯＭに予め搭載されたプログラムにより、圧縮機２４のＯＮ，ＯＦＦ等の制御，冷蔵室ダンパ２０及び冷凍室ダンパ５０を個別に駆動する図示省略のそれぞれのアクチュエータの制御、庫内ファン９のＯＮ／ＯＦＦ制御や回転速度制御、前記した扉開放状態を報知するアラームのＯＮ／ＯＦＦ等の制御を行う。
【００３０】
次に、冷蔵庫１の庫内ファン９と冷凍室ダンパ５０周辺の詳細構造について図６〜図８及び図９を参照しながら説明する。
【００３１】
図６は、冷蔵庫１の庫内ファン９と冷凍室ダンパ５０周辺の構造を正面から見た図、図７は、冷蔵庫１の庫内ファン９と冷凍室ダンパ５０周辺の構造を側方から見た縦断面図である。また、図８は本実施形態の冷蔵庫１の冷凍室ダンパ５０の斜視図、図９は庫内ファン９周辺構造を背面側から見た分解斜視図である。
【００３２】
冷蔵庫１で使用する冷凍室ダンパ５０は、図８に示すとおり、開口１０２を一面に備えた、例えば樹脂製の一体成形された横長のフレーム１０３と、フレーム１０３の一端（長方形状の短手部）にモータや減速歯車などの駆動系を内蔵した駆動手段１００を備えるものである。開閉板１０４の一面には、例えば発泡ウレタンや発泡ポリエチレンといった柔軟な材料で成形された緩衝部材１０４ａを備えている。冷凍室ダンパ５０は、フレーム１０３の開口１０２近傍の内側の面（開閉板と対向する側の面）１０３ａに、緩衝部材１０４ａが押し付けられることにより閉状態となる。したがって、そのシール性能は、開口１０２の周長１０２ａに依存する。ここで、開口１０２にはフレーム１０３の上辺と下辺が連結する連結部１０３ｂが備えられているが、これは、変形抑制のために備えられるものであり、シール性能に直接寄与するものではない。したがって、冷凍室ダンパ５０のシール性能を考える際の、開口１０２の周長１０２ａには、シール性能に直接寄与しない連結部１０３ｂの長さは含まない。なお、本実施形態の冷蔵庫１で使用する冷凍室ダンパ５０の開口１０２の大きさは、１８０mm×３５mmであり、シール性能に寄与する周長１０２ａは４３０mmである。また、開口１０２の外周には、冷凍室ダンパ５０取り付け時の位置合せと、開口１０２の補強を兼ねたリブ１０３ｃが備えられている。
【００３３】
図６中に示すように、冷蔵庫１の庫内ファン９は、ケーシング９ａの形状が略方形であり、ボス部にモータを備えたモータ一体型のファンである。庫内ファン９の吐出側は、冷気を集約する冷気集約ダクト１３を形成すべくファンカバー７０が備えられている。ファンカバー７０は、庫内ファン９の前方を覆うように設けられている。冷気集約ダクト１３の外周部１３ａは、庫内ファン９の回転中心から外周部１３ａまでの距離が、最小となる位置（図６中に示した最小寸法位置）から、庫内ファン回転方向に上流から下流に向けて次第に拡大するように拡大風路１３ｂとなっている。また、本実施形態の冷蔵庫１では、冷気集約ダクト１３の拡大風路１３ｂは、庫内ファン回転中心から風路外周壁までの距離が、最小となる位置から、庫内ファン回転方向に１８０度以上有している。
【００３４】
すなわち、拡大風路１３ｂは、始端（上流）から終端（下流）まで１８０度又は１８０度よりも大きい角度を有する。また、出口開口１３ｃは、横長であって該出口開口１３ｃの長手方向が拡大風路１３ｂの終端（下流）に位置する。また、ファンカバー７０は、庫内ファン９に対向する位置に窪みを有し、当該窪みの周囲に拡大風路１３ｂが設けられている。すなわち、拡大風路１３ｂを冷気が流れて整流されることで、出口開口１３ｂをスムーズに通過して、上段冷凍室４及び下段冷凍室５に流入する。これにより、上段冷凍室４及び下段冷凍室５の冷却効率を向上することができる。
【００３５】
また、図４に示すように、ファンカバー７０の前方を覆うように、冷凍室ダクト１２が設けられている。すなわち、冷却器収納室８と上段冷凍室４及び下段冷凍室５との間に、冷気集約ダクト１３及び冷凍室ダクト１２が配置される。これにより、空気断熱層が貯蔵空間の後方に形成されるため、上段冷凍室４及び下段冷凍室５が冷却器収納室８から受ける熱影響（例えば、冷却器７の除霜運転時の温度上昇等による影響）は抑制され、貯蔵空間の温度変化を抑制できる。
【００３６】
また、図６中に示すとおり、庫内ファン９は水平面から角度β１（本実施形態の冷蔵庫
１ではβ１は１０度）だけ傾斜させて配設している。
【００３７】
図７に示すとおり、冷凍室ダンパ５０は、開口１０２が略前方に向くように配設しているが、その配設位置は、冷凍室ダンパ５０のリブ１０３ｃを、図６に示す冷気集約ダクト１３の出口開口１３ｃ（出口開口１３ｃは冷凍室ダンパ５０の開口１０２より大きい）に一致させることで容易に定まるようになっている。また、図７に示すとおり、冷凍室ダンパ５０は、回転軸１０１が、上側になるように配設してある。さらに、冷凍室ダンパ５０の開閉板１０４は、背面側に開き、その開角度θは、運転状態によって異なり、０度（全閉），６０度，９０度（全開）の状態で使用される（運転状態と開角度の関係の詳細は後述）。
【００３８】
図６に示すとおり、冷凍室ダンパ５０は、水平面から角度β２（本実施形態の冷蔵庫１ではβ２は６度）だけ傾斜させて設置するようにしている。また、図７に示すとおり、庫内ファン９は、角度α１（本実施形態の冷蔵庫１ではα１は１３度）だけ後方に傾斜、冷凍室ダンパ５０は角度α２（本実施形態の冷蔵庫１ではα２は６度）だけ後方に傾斜して設置するようにしている。
【００３９】
なお、冷気集約ダクト１３の出口開口１３ｃの大きさは、１８８.５mm×４３mmであり、その周長１３ｄは、４６３mmである。
【００４０】
ファンホールド７１には、冷気集約ダクト１３と、冷却器収納室８とが連通する連通孔７５が設けられている。なお、連通孔７５は、冷気集約ダクト１３内の下端に位置するように設けている。
【００４１】
また、冷気集約ダクト１３内（ファンカバー内面）の庫内ファン９の下部の領域には、ファンカバーヒータ７６が配設されている。ファンカバーヒータ７６は、図６及び図７に示すとおり、冷気集約ダクト１３内から、連通孔７５を経て、冷却器収納室８内に延伸させた部分７６ａを有している。
【００４２】
なお、図９に示すとおり、ファンカバー７０は仕切板５４と一体成型品となっている。また、庫内ファン９を保持する部材（ファンホールド７１）は、ファンカバー７０とは別体となっており、図９に示すようにファンカバーの背面側に組み付けられる。
【００４３】
従来形態の冷蔵庫１では、図１０に示すとおり、図７における冷凍室ダンパ５０の開閉板１０４で、開角度が０度，９０度以外の状態（本実施形態の冷蔵庫１では、θは６０度）では、冷蔵室ダクト１１に流れる冷気と、冷凍室ダクト１２に流れる冷気に分配される。
【００４４】
ファンホールド７１に庫内ファン９は設置されるが、ファンホールド７１の上方には、冷気集約ダクト１３の上方空間を形成する１３ａを形成する。
【００４５】
また、１３ａの上方には、冷蔵室ダクト１１を形成している断熱部材８０があり、庫内ファン９の上方の風の流れは、空気１３ａ内で大きな渦をつくる。冷凍室ダクト１２に流れる冷気は、この渦に引き込まれ、冷気配分が減少する。さらに、庫内ファン９の上方から冷蔵室ダクト１１に流れる冷気も、この渦に妨げられ、風量は低下する。
【００４６】
本実施形態の冷蔵庫１では、図１１，図１４に示すとおり、庫内ファン９を支持するファンホールド７１上部に、ファンホールド７１自体によって形成される凸空間を有し、前記凸空間は、庫内ファン９の前面に向かって凸形状となり、その前記凸空間を形成する上面には、長方形状の孔７１ａを設け、前記、長方形状の孔７１ａに、Ｌ字型に突起形状を有する部品９０の突起部を、前記凸空間側から挿入し、Ｌ字型部品７１ａの座側部を、前記凸空間前縁に嵌め込むことで固定する、Ｌ字型部品９０を設置する。このＬ字型部品９０の突起部のファン前方側平面と、前記ファンホールド７１の凸部先端となる平面とは、略平面となり、前記突起部は、空間１３ａに突き出す構造とすることにより、流体解析結果では庫内ファン９の上方の風の流れは、前記突起部を風向のガイド壁とし、冷凍室ダクトへと流れていく。これにより、空気１３ａ内で生じる大きな渦はなくなる。突起部と１３ａの空間の背面との間には、小さな渦が発生するが、冷凍室ダクト１２、及び、冷蔵室ダクト１１に流れる冷気の流れを阻害することはなく、冷蔵室，冷凍室への風量のアップと、安定した風量配分を得ることができる。風量アップとして、流体解析結果では、８％の風量アップとなった。
【００４７】
また、図１２では、図１１のファンカバー７０を外し、正面側より見た斜視図を示す。
ファンホールド７１の上部に、Ｌ字型部品９０の突起部が突き出している。前記Ｌ字型部品の幅方向の長さは、庫内ファン９のファン孔径と同等長さとなる。
【００４８】
さらに、図１３では、前記Ｌ字型部品の幅方向の有効長さについて示している。庫内ファン９の孔径を２Ｌとすると、Ｌ字型部品の幅方向の長さは、庫内ファンの中心軸より右側寸法はＬ、正面左側寸法はＬ／２以上に設定する。これは、図６に示したように、冷気の流れは、正面左側が、ファンの回転による旋回流れの出口方向となり、風量が多くなるため、庫内ファン９の上方、かつ、ダクト１３の正面左側は、ファンホールド７１の左側面側から、冷凍室ダクト１２、及び、冷蔵室ダクト１１に冷気が流れていく。そのため、Ｌ字型部品の突起部を風向のガイド壁とする効果が少なくなる。
【００４９】
よって、Ｌ字型部品の幅方向の長さは、庫内ファンの中心軸より正面左側寸法においては、寸法Ｌから、寸法Ｌ／２まで短縮しても、Ｌ字型部品による効果は維持できる。
【符号の説明】
【００５０】
７０  ファンカバー
７１  ファンホールド
７１ａ  ファンホールド上面孔
７５  連通孔
８０  断熱部材
９０  Ｌ字型部品
１００  駆動手段
１０１  回転軸
１０２  開口
１０３  フレーム
１０４  開閉板
【図１】
2013002663.tif 000003
【図２】
2013002663.tif 000004
【図３】
2013002663.tif 000005
【図４】
2013002663.tif 000006
【図５】
2013002663.tif 000007
【図６】
2013002663.tif 000008
【図７】
2013002663.tif 000009
【図８】
2013002663.tif 000010
【図９】
2013002663.tif 000011
【図１０】
2013002663.tif 000012
【図１１】
2013002663.tif 000013
【図１２】
2013002663.tif 000014
【図１３】
2013002663.tif 000015
【図１４】
2013002663.tif 000016